(57)【要約】【課題】風向きを変更する首振り機構を用いることなく、昆虫等の侵入防止効果を高めることができるエアカーテン装置を提供する。【解決手段】建物の開口部の周縁部の一方側に設けられ、前記開口部の開口面に対して角度を持って前記建物の外側へ空気を吹き出す第１吹出部と、前記開口部の周縁部の他方側に設けられ、前記第１吹出部から吹き出された空気を吸気する第１吸気部と、前記第１吸気部で吸気した空気を前記第１吹出部から吹き出された空気の流れより前記建物の外側へ吹き出す第２吹出部と、を備え、前記第１吸気部で吸気する吸気風量が、前記第１吹出部から吹き出される吹出風量より大きい。【選択図】図２
2020024048.tif 000002
【特許請求の範囲】
【請求項１】
建物の開口部の周縁部の一方側に設けられ、前記開口部の開口面に対して角度を持って前記建物の外側へ空気を吹き出す第１吹出部と、
前記開口部の周縁部の他方側に設けられ、前記第１吹出部から吹き出された空気を吸気する第１吸気部と、
前記第１吸気部で吸気した空気を前記第１吹出部から吹き出された空気の流れより前記建物の外側へ吹き出す第２吹出部と、
を備え、
前記第１吸気部で吸気する吸気風量が、前記第１吹出部から吹き出される吹出風量より大きい、エアカーテン装置。
【請求項２】
外気を吸気して前記第１吹出部へ空気を供給する第２吸気部が、前記開口部の周縁部の一方側に設けられている請求項１に記載のエアカーテン装置。
【請求項３】
前記第１吹出部の空気の吹出し角度が調整可能とされている請求項１又は請求項２に記載のエアカーテン装置。
【発明の詳細な説明】
【技術分野】
【０００１】
本発明は、開口部にエアカーテンを形成するエアカーテン装置に関する。
【背景技術】
【０００２】
従来、開口部の一側部から他側部へ向けて噴流を形成する第一噴流装置と、開口部の他側部から一側部へ向けて噴流を形成する第二噴流装置とを備えたエアカーテン装置が知られており、各噴流装置からの噴流のかく乱を抑制する（例えば、特許文献１参照）。
【０００３】
このエアカーテン装置は、開口部の相対する壁体に対を成す吹出ノズル及び吸込部を一対設けて無衝突対向噴流を形成することで、外部風による噴流の破断現象を防ぐ。
【０００４】
一方、屋外の昆虫の侵入を防止するエアカーテン装置としては、エアカーテン流の吹出方向を首振り機構で可変して閉鎖時のシャッター表面に空気を吹き付け、シャッター表面から昆虫を取り除く装置が知られている（例えば、特許文献２参照）。
【先行技術文献】
【特許文献】
【０００５】
【特許文献１】特開昭６３−１６９４３５号公報
【特許文献２】特開２００３−１６１４８９号公報
【発明の概要】
【発明が解決しようとする課題】
【０００６】
食品や医薬品の製造施設や物流施設等の建物において、建物の内部から外部に通じる開口部には、開閉可能な遮蔽部材の一例としてシートシャッターが設けられる。シートシャッターは、安全のため反対側が視認できるように半透明になっている。このため、夜間などにおいて、建物内の光がシートシャッターを透して建物外に漏れる。すると、漏れた光に昆虫が集まり、シートシャッターの表面及びその近傍では昆虫の密度が上がる。そこで、シートシャッターを開くときに、集まっていた昆虫を建物内に侵入させず、また、開いた状態においても昆虫を建物内に侵入させないことが求められる。
しかしながら、特許文献１のエアカーテン装置は開口部を遮蔽したときの噴流の挙動については考慮されていない。また、特許文献２のエアカーテン装置では、吹出方向を可変する首振り機構を要する為、構造が複雑となる。
【０００７】
本発明は、風向きを変更する首振り機構を用いることなく、昆虫等の侵入防止効果を高めることができるエアカーテン装置を提供することを目的とする。
【課題を解決するための手段】
【０００８】
第一態様は、建物の開口部の周縁部の一方側に設けられ、前記開口部の開口面に対して角度を持って前記建物の外側へ空気を吹き出す第１吹出部と、前記開口部の周縁部の他方側に設けられ、前記第１吹出部から吹き出された空気を吸気する第１吸気部と、前記第１吸気部で吸気した空気を前記第１吹出部から吹き出された空気の流れより前記建物の外側へ吹き出す第２吹出部と、を備え、前記第１吸気部で吸気する吸気風量が、前記第１吹出部から吹き出される吹出風量より大きい、エアカーテン装置である。
【０００９】
すなわち、建物の開口部の周縁部の一方側に設けられた第１吹出部から開口部の開口面に対して角度を持って建物の外側へ空気を吹き出すことで、開口部の開口面の外側にエアカーテンが形成される。このエアカーテンによって開口部を通じて建物内に昆虫等が侵入することを抑制することができる。
【００１０】
また、開口部の周縁部の他方側には第１吸気部が設けられており、第１吹出部から吹き出された空気を吸気する。この第１吸気部で吸気する吸気風量は、第１吹出部から吹き出される吹出風量より大きく設定されており、第１吹出部から吹き出された空気は、開口部を通じて建物内に流れることが抑制される。
【００１１】
このため、第１吹出部からの空気に巻き込まれた昆虫等が建物内に侵入することを抑制することができる。
【００１２】
さらに、第１吹出部から吹き出された空気の流れより建物の外側に、第２吹出部から空気を吹き出すことで、開口部の外側にエアカーテンが形成される。このエアカーテンによって、第１吹出部から吹き出された空気の流れに外風が当ることを抑制することができる。
【００１３】
そして、開閉部材で建物の開口部を閉じた状態では、第１吹出部から吹き出された空気と開閉部材との間に負圧が発生し、この負圧によって第１吹出部から吹き出された空気が開閉部材の表面に沿って流れる。
【００１４】
これにより、開閉部材の表面や開閉部材の取付部に潜んでいる昆虫を取り除くことができる。このため、開閉部材を開放した瞬間に昆虫が建物内に侵入することを抑制することができる。
【００１５】
第二態様は、外気を吸気して前記第１吹出部へ空気を供給する第２吸気部が、前記開口部の周縁部の一方側に設けられている第一態様に記載のエアカーテン装置である。
【００１６】
すなわち、第２吹出部から吹き出された空気の少なくとも一部が第２吸気部で吸気されることで、第２吹出部から第２吸気部に亘るエアカーテンが第１吹出部から第１吸気部に亘るエアカーテンの外側に形成される。
【００１７】
これにより、第２吸気部が開口部の周縁部の一方側にない場合と比較して、第１吹出部から吹き出された空気の流れによるエアカーテンに外風が当ることを、より抑制することができる。
【００１８】
第三態様は、前記第１吹出部の空気の吹出し角度が調整可能とされている第一態様又は第二態様に記載のエアカーテン装置である。
【００１９】
すなわち、開口部の大きさに応じて、吹出し角度を調整することで、適切なブロア能力でエアカーテンを形成することができる。
【発明の効果】
【００２０】
本発明は上記構成としたので、風向きを変更する首振り機構を用いることなく、昆虫等の侵入防止効果を高めることができる。
【図面の簡単な説明】
【００２１】
【図１】本実施形態に係るエアカーテン装置を示す正面図である。
【図２】図１のＡ−Ａ線に沿った断面図である。
【図３】図１のＢ−Ｂ線に沿った断面図である。
【図４】図１のＣ−Ｃ線に沿った断面図である。
【図５】本実施形態に係るエアカーテン装置の開閉部材を開放した状態での気流を示す説明図である。
【図６】本実施形態に係るエアカーテン装置の開閉部材を閉鎖した状態での気流を示す説明図である。
【発明を実施するための形態】
【００２２】
以下、本発明の一実施形態を図面に従って説明する。
【００２３】
図１から図４は、本実施形態に係るエアカーテン装置１０を示す図であり、エアカーテン装置１０は、建物１２の開口部１４の周縁部に設けられている。建物１２の例としては、食品や医薬品の製造施設や物流施設等の建物が挙げられ、建物１２に設けられた開口部１４は、出入口を形成する。
【００２４】
エアカーテン装置１０は、開口部１４の周縁部の一方側に立設された第一支柱部１６と、開口部１４の周縁部の他方側に立設された第二支柱部１８とを備えている。また、エアカーテン装置１０は、第一支柱部１６と第二支柱部１８の上部に架け渡されるとともに開口部１４の上縁に沿って延設された架橋部２０を備えており、エアカーテン装置１０は、門型に形成されている。第一支柱部１６、第二支柱部１８、及び架橋部２０は、図２に示したように、後面１６Ａ、１８Ａが建物１２の壁面１２Ａに密着した状態で固定されており、架橋部２０からは、図３及び図４に示したように、庇部２０Ａが建物外側Ｏへ向けて張り出している。
【００２５】
（架橋部）
架橋部２０は、開口部１４の上縁に沿って長い直方体形状に形成されており、架橋部２０内には、長さ方向に延在する円筒状のドラム２２が収容されている。ドラム２２には、シート状の開閉部材２４が引き出し可能に巻回されており、開閉部材２４は、開口部１４を開閉するシートシャッターを構成する。
【００２６】
開閉部材２４の下縁には、図示しない錘が設けられており、開閉部材２４は、錘によって下方へ付勢されている。開閉部材２４の一側縁は、図２に示したように、第一支柱部１６の内側面１６Ｂに形成された第一ガイド溝２６に収容されており、開閉部材２４の他側縁は、第二支柱部１８の内側面１８Ｂに形成された第二ガイド溝２８に収容されている。
【００２７】
これにより、開閉部材２４は、開閉作動時に各側縁部が対応するガイド溝２６、２８に案内される。また、開口部１４を閉鎖した閉鎖状態では、開閉部材２４の各側縁部が対応するガイド溝２６、２８内に保持されて揺動が抑制され、開閉部材２４の周りに隙間を作らない。
【００２８】
この開閉部材２４は、一例として有色透明のポリエステルシートで構成されており、開閉部材２４で開口部１４を閉鎖した状態であっても、開閉部材２４の建物内側Ｉ又は建物外側Ｏにおける人やリフター等の有無を確認することができる。
【００２９】
なお、本実施形態では、開閉部材２４を有色透明なポリエステルシートで構成する場合を例に挙げて説明するが、これに限定されるものでない。例えば、開閉部材２４を、不透明なシートで構成したり、合成樹脂製のシャッターで構成したり、金属製のシャッターで構成してもよい。
【００３０】
ドラム２２には、図外の回転機構が接続されている。回転機構は、図３に示したように、第一支柱部１６の内側面１６Ｂに設けられた操作パネル３０の開スイッチ３０Ａや閉スイッチ３０Ｂが操作された際にドラム２２を回動する。
【００３１】
具体的に説明すると、開スイッチ３０Ａ操作時には、回転機構がドラム２２を正転して開閉部材２４を巻き上げ、開口部１４を開放する。また、閉スイッチ３０Ｂ操作時には、回転機構がドラム２２を逆転して開閉部材２４を送り出し、開口部１４を閉鎖する。
【００３２】
（第一支柱部）
第一支柱部１６は、図２に示したように、矩形筒状に形成されており、内部には、建物外側Ｏの前空間１６Ｃと建物内側Ｉの後空間１６Ｄとを区画する第一仕切３２が設けられている。第一仕切３２には、上下方向に間隔をおいた四ヶ所に第一通流穴３２Ａが形成されており、第一仕切３２には、各第一通流穴３２Ａに対応する第一ファンモータ３２Ｂが設けられている。
【００３３】
第一ファンモータ３２Ｂは、第二支柱部１８に設けられた制御部３４によって回転制御され、前空間１６Ｃの空気を後空間１６Ｄへ引き込む。これにより、前空間１６Ｃを負圧とするとともに後空間１６Ｄを正圧とする。
【００３４】
第一支柱部１６の前面１６Ｅには、図１及び図２に示したように、第２吸気部３６が設けられている。第２吸気部３６は、第一支柱部１６の前面１６Ｅに複数開設された長方形状の第一吸気穴３６Ａで構成されており、各第一吸気穴３６Ａは、各第一通流穴３２Ａに対向する部位に設けられている。
【００３５】
これにより、第一支柱部１６の建物外側Ｏの空気は、第２吸気部３６を構成する第一吸気穴３６Ａを介して、前空間１６Ｃに吸い込まれた後、後空間１６Ｄへ送られる。
【００３６】
第一吸気穴３６Ａには、ラス網３８が設けられている。ラス網３８は、一方側の縁部がヒンジ３８Ａを介して第一支柱部１６に支持されており、ラス網３８は、第一吸気穴３６Ａを開閉可能とする。ラス網３８の内側には、防虫ネット３９が設けられ、前空間１６Ｃに昆虫が通過することはない。また、ラス網３８を開くことで、防虫ネット３９をメンテナンスすることができる。
【００３７】
第一支柱部１６の内側面１６Ｂには、図２及び図３に示したように、第１吹出部４０が第一ガイド溝２６より建物外側Ｏに設けられている。
【００３８】
第一ノズルユニット４２は、第一支柱部１６の高さ方向に延在するユニット本体４２Ａと、ユニット本体４２Ａに軸支された第一吹出ノズル４２Ｂとを備えている。第一吹出ノズル４２Ｂは、後空間１６Ｄから供給された空気を吹き出す吹出口４２Ｃを有している。第一吹出ノズル４２Ｂを、長さ方向に延在する軸中心に回動させることで、吹出口４２Ｃからスリット４０Ａを介して吹出す空気の吹出し方向Ｆ１を微調整できる。また、吹出口４２Ｃの開口は、上下方向に延在する複数のスリット４０Ａが形成されたプレートで閉じられている。
【００３９】
具体的に説明すると、開口部１４の開口面と吹出口４２Ｃからの吹出し方向Ｆ１とが成す第一吹出し角度αは、一例として２１度に設定されており、第１吹出部４０は、開口部１４の開口面に対して角度を持って建物外側Ｏへ空気を吹き出す。この第一吹出し角度αは、第１吹出部４０からの気流分布をシュミュレーションすることによって定められており、第一吹出し角度αは、設置状態での条件に応じて、微調整可能とされている。
【００４０】
そして、この第１吹出部４０へ空気を供給する第２吸気部３６は、開口部１４の周縁部の一方側に設けられている。
【００４１】
（第二支柱部）
第二支柱部１８は、図２に示したように、矩形筒状に形成されており、第一支柱部１６側の内側面１８Ｂと建物外側Ｏの前面１８Ｃとの角部が面取りされ斜面１８Ｄが形成されている。第二支柱部１８には、内部を区画する第二仕切４４が設けられており、この第二仕切４４によって第二支柱部１８の内部空間は、内側面１８Ｂに沿った内空間１８Ｅと内空間１８Ｅの外側に設けられた外空間１８Ｆとが形成されている。第二仕切４４には、上下方向に間隔をおいた四ヶ所に第二通流穴４４Ａが形成されており、第二仕切４４には、各第二通流穴４４Ａに対応する第二ファンモータ４４Ｂが設けられている。
【００４２】
第二ファンモータ４４Ｂは、前述した制御部３４によって回転制御され、内空間１８Ｅの空気を外空間１８Ｆへ引き込む。これにより、内空間１８Ｅを負圧とするとともに外空間１８Ｆを正圧とする。
【００４３】
第二支柱部１８の内側面１８Ｂには、図２及び図４に示したように、第１吹出部４０から吹き出された空気を吸気する第１吸気部４６が設けられている。第１吸気部４６は、第二支柱部１８の内側面１８Ｂに複数開設された長方形状の第二吸気穴４６Ａで構成されており、各第二吸気穴４６Ａは、各第二通流穴４４Ａに対向する部位に設けられている。これにより、第二支柱部１８より第一支柱部１６側の空気は、第１吸気部４６を構成する第二吸気穴４６Ａを介して、内空間１８Ｅに吸い込まれた後、外空間１８Ｆへ送られる。
【００４４】
第二吸気穴４６Ａには、ラス網３８が設けられている。ラス網３８は、建物内側Ｉの縁部がヒンジ３８Ａを介して第二支柱部１８に支持されており、ラス網３８は、第二吸気穴４６Ａを開閉可能とする。ラス網３８の内側には、防虫ネット３９が設けられ、内空間１８Ｅに昆虫が通過することはない。また、ラス網３８を開くことで防虫ネット３９をメンテナンスすることができる。
【００４５】
第二支柱部１８の斜面１８Ｄには、図２及び図４に示したように、第２吹出部４８が設けられている。第２吹出部４８は、第二ノズルユニット５０を備えている。
【００４６】
第二ノズルユニット５０は、第二支柱部１８の高さ方向に延在するユニット本体５０Ａと、ユニット本体５０Ａに軸支された第二吹出ノズル５０Ｂとを備えている。第二吹出ノズル５０Ｂは、外空間１８Ｆから供給された空気を吹き出す吹出口５０Ｃを有しており、第二吹出ノズル５０Ｂの吹出口５０Ｃの開口面積は、第一吹出ノズル４２Ｂの吹出口４２Ｃの開口面積と略同じ大きさに設定されている。また、第二吹出ノズル５０Ｂは、長さ方向に延在する軸中心に回動させることで、吹出口５０Ｃから吹出す空気の吹出し方向Ｆ２を調整できる。また、吹出口５０Ｃの開口は、上下に延在する複数のスリット４８Ａが形成されたプレートで閉じられている。
【００４７】
具体的に説明すると、開口部１４の開口面と吹出口５０Ｃからの吹出し方向Ｆ２とが成す第二吹出し角度βは、一例として５５度に設定されている。第２吹出部４８は、第１吸気部４６で吸気した空気を第１吹出部４０から吹き出された空気の流れより建物外側Ｏへ吹き出す。この第二吹出し角度βは、第２吹出部４８からの気流分布をシュミュレーションすることによって定められており、第二吹出し角度βは、設置状態での条件に応じて、３０度から７０度の範囲で調整可能とされている。
【００４８】
そして、制御部３４は、第１吸気部４６で吸気する吸気風量が第１吹出部４０から吹き出される吹出風量より大きくなるように、第一ファンモータ３２Ｂの回転数より第二ファンモータ４４Ｂの回転数が高くなるように制御する。
【００４９】
この制御によって、第１吹出部４０の第一吹出ノズル４２Ｂから噴出される気流の風速は、２０ｍ／Ｓとされており、開閉部材２４に沿って流れる空気によって開閉部材２４表面の昆虫等を除去できるように設定されている。
【００５０】
また、第２吹出部４８の第二吹出ノズル５０Ｂから噴出される気流の風速は、３０ｍ／Ｓとされており、第１吹出部４０から第１吸気部４６へ向けた気流より建物外側Ｏに、第２吹出部４８から噴出された気流を形成できるように構成されている。
【００５１】
（作用・効果）
次に、本実施形態の作用を図５及び図６を用いて説明する。
【００５２】
建物１２の開口部１４を開放した開放状態で建物１２の開口部１４の周縁部の一方側の第１吹出部４０から開口部１４の開口面に対して吹出し角度αを持って建物外側Ｏへ空気を吹き出す。これにより、開口部１４の開口面より建物外側Ｏへ離れた位置に第１のエアカーテン５４が形成され、この第１のエアカーテン５４によって開口部１４を通じて建物１２内に昆虫等が侵入することを抑制することができる。
【００５３】
また、開口部１４の周縁部の他方側には、第１吸気部４６が設けられており、第１吹出部４０から吹き出された空気を吸気する。このとき、第１吸気部４６で吸気する吸気風量は、第１吹出部４０から吹き出される吹出風量より大きく設定されており、第１吹出部４０から吹き出された空気は、開口部１４を通じて建物１２内に流れることが抑制される。
【００５４】
このため、第１吹出部４０からの空気に巻き込まれた昆虫等が建物１２内に侵入することを抑制することができる。
【００５５】
さらに、第１吹出部４０から吹き出された空気の流れで形成された第１のエアカーテン５４より建物外側Ｏに、第２吹出部４８から空気を吹き出すことで、開口部１４の外側に第２のエアカーテン５６が形成される。この第２のエアカーテン５６によって、第１吹出部４０から吹き出された空気の流れによる第１のエアカーテン５４に外風５８が当ることを抑制することができる。これにより、第１のエアカーテン５４を形成する気流の乱れを抑制することができる。
【００５６】
そして、図６に示すように、開閉部材２４で建物１２の開口部１４を閉鎖した閉鎖状態では、第１吹出部４０から吹き出された空気と開閉部材２４との間に負圧が発生する。すると、この負圧によって第１吹出部４０から吹き出された空気が開閉部材２４の表面２４Ａに沿って流れる。
【００５７】
これにより、開閉部材２４の表面２４Ａや開閉部材２４の取付部であるガイド溝２６、２８に潜んでいる昆虫等を取り除くことができる。このため、開閉部材２４を開放した瞬間に昆虫等が建物１２内に侵入することを抑制することができる。
【００５８】
したがって、風向きを変更する首振り機構を用いることなく、昆虫等の建物１２内への侵入防止効果を高めることができる。
【００５９】
特に、本実施形態では、開閉部材２４越しに屋内又は屋外の様子を見えるように、開閉部材２４は透明性を有するシートで形成されている。このため、夜間では、屋内の光が開閉部材２４を透過することで、開閉部材２４に昆虫等が集まりやすい。また、開閉部材２４より建物外側Ｏにエアカーテン装置１０が突出するため、開閉部材２４表面２４Ａ側は吹き溜まりとなり、昆虫等が集まりやすい。
【００６０】
このような条件下であっても、開閉部材２４を開放する前に第１吹出部４０から空気を吹き出して第１のエアカーテン５４を形成することで、開閉部材２４近傍の昆虫等を排除する効果を得ることができる。
【００６１】
また、外気を吸気して第１吹出部４０へ空気を供給する第２吸気部３６が開口部１４の周縁部の一方側に設けられており、第２吹出部４８から吹き出された空気の一部は、第２吸気部３６で吸気される。これにより、第２吹出部４８から第２吸気部３６に亘る第２のエアカーテン５６が第１吹出部４０から第１吸気部４６に亘る第１のエアカーテン５４の外側に形成される。
【００６２】
このため、第２吸気部３６が開口部１４の周縁部の一方側にない場合（例えば建物１２内部や架橋部２０に設けた場合）と比較して、第１吹出部４０から吹き出された空気の流れによる第１のエアカーテン５４に外風５８が当ることをより抑制することができる。
【００６３】
そして、第１吹出部４０の空気の吹出し角度αが調整可能とされている。
【００６４】
このため、開口部１４の大きさに応じて、吹出し角度αを調整することで、適切なブロア能力でエアカーテン５４を形成することができる。
【符号の説明】
【００６５】
１０   エアカーテン装置
１２   建物
１４   開口部
２４   開閉部材
３４   制御部
３６   第２吸気部
４０   第１吹出部
４６   第１吸気部
４８   第２吹出部
５４   第１のエアカーテン
５６   第２のエアカーテン
α     第一吹出し角度
Ｉ     建物内側
Ｏ     建物外側
【図１】
2020024048.tif 000003
【図２】
2020024048.tif 000004
【図３】
2020024048.tif 000005
【図４】
2020024048.tif 000006
【図５】
2020024048.tif 000007
【図６】
2020024048.tif 000008